(57)【要約】【課題】快適な温湿度を実現できる空気調和装置を提供する。【解決手段】圧縮機２３と凝縮用熱交換器２７と膨張弁１７と蒸発用熱交換器７とで冷凍サイクルを構成し、蒸発用熱交換器７を通した空気を室内に送る室内送風機１１と、所望の室内空気温度を室内空気温度設定値として出力する室内空気温度設定手段（図示せず）と、室内における所望の水蒸気分圧を有する空気の露点温度を、配管温度の目標値として設定し出力する配管温度設定手段（図示せず）とを備え、蒸発用熱交換器７の入口温度と出口温度の内低い方を蒸発温度とし、室内空気温度と室内空気温度設定値との差が所定の範囲内で、かつ、蒸発温度が目標値以下の場合に、出口温度を目標値以上でかつ室内空気温度未満になるまで上昇させた後、蒸発温度を所定の範囲内に保持するように、膨張弁１７の開度と、圧縮機２３の回転数と、室内送風機１１の風量を制御するようにした。【選択図】図１
2014020583.tif 000002
【特許請求の範囲】
【請求項１】
回転速度可変の圧縮機と凝縮用熱交換器と膨張弁と蒸発用熱交換器とを冷媒配管で結合し、前記冷媒配管内で冷媒を循環させて冷凍サイクルを構成し、前記蒸発用熱交換器の風下側に設置され、前記蒸発用熱交換器を通して取り入れた空気を室内に空気を送り出す送風手段と、入力された所望の室内空気温度を室内空気温度設定値として出力する室内空気温度設定手段と、室内空気温度を検出する室内空気温度検出手段と、前記蒸発用熱交換器の入口温度を検出する第１配管温度検出手段と、前記蒸発用熱交換器の出口温度を検出する第２配管温度検出手段と、室内における所望の水蒸気分圧を有する空気の露点温度を、前記配管温度の目標値として設定し出力する配管温度設定手段とヒートポンプ制御手段とを備え、前記ヒートポンプ制御手段は、前記入口温度と前記出口温度の内低い方を蒸発温度とし、前記室内空気温度と前記室内空気温度設定値との差が所定の範囲内で、かつ、前記蒸発温度が前記目標値以下の場合に、前記出口温度を、前記目標値以上でかつ前記室内空気温度未満になるまで上昇させる第１ステップの後、前記蒸発温度を前記所定の範囲内に保持する第２ステップを実行するように、前記膨張弁の開度と、前記圧縮機の回転数と、前記送風手段の風量を制御するようにしたことを特徴とする空気調和装置。
【請求項２】
ヒートポンプ制御手段は、第１ステップにおいて膨張弁の開度を上げ、第２ステップにおいて、前記膨張弁の開度をステップ１よりも下げる制御を行うことを特徴とする請求項１に記載の空気調和装置。
【請求項３】
ヒートポンプ制御手段は、第１ステップの発動に伴い、風量を上げ、第２ステップにおいて、室内空気温度が所定の範囲内に収まるように前記風量を制御することを特徴とする請求項１又は２に記載の空気調和装置。
【請求項４】
ヒートポンプ制御手段は、第１ステップにおいては圧縮機の回転数を保持し、第２ステップにおいて、蒸発温度が所定の範囲内に保持されるように前記圧縮機の回転数を増加させることを特徴とする請求項１〜３のいずれか１項に記載の空気調和装置。
【発明の詳細な説明】
【技術分野】
【０００１】
本発明は、冷凍サイクルを用いて室内空気の除湿をおこなう空気調和機に関するものである。
【背景技術】
【０００２】
従来より、圧縮機、凝縮用熱交換器、膨張弁、室内熱交換器、およびこれらを接続して冷媒が流れる配管を有する空気調和装置において、温度センサに加えて湿度センサを用いて、室内空気温度と相対湿度を制御目標として、圧縮機の回転数等の制御をする構成がある。例えば、特許文献１に記載されたような従来の空気調和装置においては、温度センサと湿度センサからなる湿球温度検出手段と、室内空気の湿球温度を設定する湿球温度設定手段とを備え、前記湿球温度検出手段による湿球温度と前記湿球温度設定手段による湿球温度設定値の差を縮めるように、圧縮機の回転速度を制御するものがある。さらに上記空気調和装置においては、温度設定手段と湿度設定手段が備えられ、温湿度設定値と室内温湿度との差が小さくなるように、送風機の回転数を制御するようにしていた。
【先行技術文献】
【特許文献】
【０００３】
【特許文献１】特開２００６−２６６６７７号公報
【発明の概要】
【発明が解決しようとする課題】
【０００４】
しかしながら、上記特許文献１に記載されたような従来の空気調和装置では、湿度センサを必要とするので、空気調和装置の製造コストが上げるという課題を有する他、所望の湿度を制御目標とする相対湿度制御を行う構成において、例えば、室内の相対湿度５０％ｒｈを目標値とし、室内空気の相対湿度５０％ｒｈが達成された時、もしもこの時、室内空気温度が異なれば、５０％ｒｈという同じ指標値にも関わらず、人体への熱的影響は等価にはならないという課題を有する。
【０００５】
温熱生理学的には、人体と空気の間で熱的平衡状態が成立し、体温調節に伴う生理的な負担が最も小さい状態が熱的中立状態と言われ、室内環境における快適性の一条件になっている。平均的な人体がこの熱的中立状態であるときの室内空気側の水蒸気分圧は約２０ｈＰａである。人体表面の境界層における平均気温と相対湿度をそれぞれ３３℃、１００％ｒｈとした場合、水蒸気分圧は約５０ｈＰａなので、熱平衡状態における人体境界層と室内空気との水蒸気の分圧差は約３０ｈＰａである。水蒸気分圧差に依存して生じる、人体から空気側へ水分の移動は、感覚的には感知されないことから不感蒸泄とよばれ、人体の放熱の潜熱分を担っている。
【０００６】
相対湿度制御では、同じ５０％ｒｈでも気温が２９℃の場合、２０ｈＰａ、気温が２７℃なら約１８ｈＰａであり、この２℃の気温差によって分圧差は気温２９℃の３０ｈＰａから２７℃の場合３２ｈＰａへ約７％拡大する。皮膚血管の拡張あるいは収縮で２９℃と２７℃の環境における顕熱差に対しては熱的平衡が保たれる。
【０００７】
一方、不感蒸泄の熱的平衡は、２９℃なら適切な水蒸気分圧差である３０ｈＰａが保たれるが、室内空気温度２７℃では崩れ、体表面の水分蒸発による潜熱移動が増加することになる。この放熱が、冷房使用時の「冷え」や冷房の敬遠の一因にもなりうる。上記特許文献１に記載された従来の空気調和装置のように一定の相対湿度を目標とする制御では、室内空気温度によって相対湿度の人体への影響が異なり、室内空気温度の設定値が比較的
低い場合、不感蒸泄の平衡が崩れ、潜熱移動が増加して過度に体が冷却されるという課題がある。
【０００８】
人体からの放熱を促進させる必要がある場合は、相対湿度制御も問題はない。しかし、長時間空調環境に曝されたり、発汗が止まり熱的中立状態になった人体においては、不感蒸泄による潜熱移動も平衡に保たれなければならない。また、不感蒸泄は感覚的に感知されにくく、人間自身が生理的に制御することもできない。したがって、不感蒸泄による潜熱移動の平衡状態は空気調和に大きく依存するという特徴がある。
【０００９】
本発明は、上記従来の課題を解決するもので、室内空気の水蒸気分圧を一定に保ち、快適な温湿度を実現できる空気調和装置を提供することを目的とする。
【課題を解決するための手段】
【００１０】
上記従来の課題を解決するために、本発明に係る空気調和装置は、回転速度可変の圧縮機と凝縮用熱交換器と膨張弁と蒸発用熱交換器とを冷媒配管で結合し、前記冷媒配管内で冷媒を循環させて冷凍サイクルを構成し、前記蒸発用熱交換器の風下側に設置され、前記蒸発用熱交換器を通して取り入れた空気を室内に空気を送り出す送風手段と、入力された所望の室内空気温度を室内空気温度設定値として出力する室内空気温度設定手段と、室内空気温度を検出する室内空気温度検出手段と、前記蒸発用熱交換器の入口温度を検出する第１配管温度検出手段と、前記蒸発用熱交換器の出口温度を検出する第２配管温度検出手段と、室内における所望の水蒸気分圧を有する空気の露点温度を、前記配管温度の目標値として設定し出力する配管温度設定手段とヒートポンプ制御手段とを備え、前記ヒートポンプ制御手段は、前記入口温度と前記出口温度の内低い方を蒸発温度とし、前記室内空気温度と前記室内空気温度設定値との差が所定の範囲内で、かつ、前記蒸発温度が前記目標値以下の場合に、前記出口温度を、前記目標値以上でかつ前記室内空気温度未満になるまで上昇させる第１ステップの後、前記蒸発温度を前記所定の範囲内に保持する第２ステップを実行するように、前記膨張弁の開度と、前記圧縮機の回転数と、前記送風手段の風量を制御するようにしたもので、冷房運転の際、室内空気温度検出手段によって検出された室内空気温度と、室内空気温度設定値の比較を行い、室内空気温度が室内空気温度設定値に到達した場合、室内に設置された蒸発用熱交換器の蒸発温度が、所望の露点温度である配管温度の目標値を下回れば、ヒートポンプ制御手段がまず膨張弁開度を絞り、出口温度を前記目標値以上、前記室内空気温度未満の温度まで速やかに上げることができる。
【００１１】
このとき同時に送風手段の風量も上げることで、出口温度をさらに素早く上げることができる。このことにより、本発明に係る空気調和装置は、速やかに配管温度を上げて除湿を緩和させることができる。つまり、室内の空気の露点温度が所望の露点温度を下回る場合に、空気調和装置は顕熱比の高い高顕熱比冷房へ速やかに移行し、除湿を緩和することができる。
【００１２】
また、室内の空気の露点温度が所望の露点温度を上回る場合は所望の露点温度に達するまで除湿をすることが可能となり、空気調和装置により室内の空気の露点温度を目標の露点温度に近づけることが可能になる。また、ヒートポンプ制御手段が膨張弁開度を上げ圧縮機回転数を増加させ循環量が増えたところに、風量補正手段が吹出し風量を増加させるので、冷房能力は保たれ、室温の上昇を抑えながらも、配管温度を上げて除湿を緩和させることができる。つまり、室内の空気の露点温度が所望の露点温度を下回る場合に、空気調和装置は除湿を速やかに緩和し、顕熱比の高い高顕熱比冷房へ移行することができる。
【００１３】
また、定常的に室内の空気の露点温度が一定に保たれる場合、その空気における水蒸気分圧も一定となるので、ほぼ一定水準の体表面境界層との水蒸気分圧差が拡大することを防ぐことができる。特に、単位体積あたりの表面積の大きな手先、足先において過剰な冷
却を防ぐことができ、湿度センサを搭載することなく、室内空気の水蒸気分圧を一定に保ち、快適な温湿度を実現できる。
【発明の効果】
【００１４】
本発明の空気調和装置は、冷房運転の際、室内空気温度検出手段によって検出された室内空気温度と、室内空気温度設定値の比較を行い、室内空気温度が室内空気温度設定値に到達した場合、室内に設置された蒸発器の蒸発温度が、所望の露点温度である配管温度の目標値を下回れば、ヒートポンプ制御手段がまず膨張弁開度を絞り、蒸発器出口温度を前記目標値以上、前記室内空気温度未満の温度まで速やかに上げることができる。このとき同時に送風手段の風量も上げることで、蒸発器出口温度をさらに素早く上げることができる。このことにより、本発明に係る空気調和装置は、速やかに配管温度を上げて除湿を緩和させることができる。つまり、室内の空気の露点温度が所望の露点温度を下回る場合に、空気調和装置は顕熱比の高い高顕熱比冷房へ速やかに移行し、除湿を緩和することができる。
【００１５】
また、室内の空気の露点温度が所望の露点温度を上回る場合は所望の露点温度に達するまで除湿をすることが可能となり、空気調和装置により室内の空気の露点温度を目標の露点温度に近づけることが可能になる。また、ヒートポンプ制御手段が膨張弁開度を上げ圧縮機回転数を増加させ循環量が増えたところに、風量補正手段が吹出し風量を増加させるので、冷房能力は保たれ、室温の上昇を抑えながらも、配管温度を上げて除湿を緩和させることができる。つまり、室内の空気の露点温度が所望の露点温度を下回る場合に、空気調和装置は除湿を速やかに緩和し、顕熱比の高い高顕熱比冷房へ移行することができる。
【００１６】
また、定常的に室内の空気の露点温度が一定に保たれる場合、その空気における水蒸気分圧も一定となるので、ほぼ一定水準の体表面境界層との水蒸気分圧差が拡大することを防ぐことができる。特に、単位体積あたりの表面積の大きな手先、足先において過剰な冷却を防ぐことができ、湿度センサを搭載することなく、室内空気の水蒸気分圧を一定に保ち、快適な温湿度を実現できる。
【図面の簡単な説明】
【００１７】
【図１】本発明の実施の形態１に係る空気調和装置の構成図
【図２】同空気調和装置の除湿緩和動作に至る流れ図
【発明を実施するための形態】
【００１８】
第１の発明は、回転速度可変の圧縮機と凝縮用熱交換器と膨張弁と蒸発用熱交換器とを冷媒配管で結合し、前記冷媒配管内で冷媒を循環させて冷凍サイクルを構成し、前記蒸発用熱交換器の風下側に設置され、前記蒸発用熱交換器を通して取り入れた空気を室内に空気を送り出す送風手段と、入力された所望の室内空気温度を室内空気温度設定値として出力する室内空気温度設定手段と、室内空気温度を検出する室内空気温度検出手段と、前記蒸発用熱交換器の入口温度を検出する第１配管温度検出手段と、前記蒸発用熱交換器の出口温度を検出する第２配管温度検出手段と、室内における所望の水蒸気分圧を有する空気の露点温度を、前記配管温度の目標値として設定し出力する配管温度設定手段とヒートポンプ制御手段とを備え、前記ヒートポンプ制御手段は、前記入口温度と前記出口温度の内低い方を蒸発温度とし、前記室内空気温度と前記室内空気温度設定値との差が所定の範囲内で、かつ、前記蒸発温度が前記目標値以下の場合に、前記出口温度を、前記目標値以上でかつ前記室内空気温度未満になるまで上昇させる第１ステップの後、前記蒸発温度を前記所定の範囲内に保持する第２ステップを実行するように、前記膨張弁の開度と、前記圧縮機の回転数と、前記送風手段の風量を制御するようにしたもので、冷房運転の際、室内空気温度検出手段によって検出された室内空気温度と、室内空気温度設定値の比較を行い、室内空気温度が室内空気温度設定値に到達した場合、室内に設置された蒸発用熱交換器
の蒸発温度が、所望の露点温度である配管温度の目標値を下回れば、ヒートポンプ制御手段がまず膨張弁開度を絞り、出口温度を前記目標値以上、前記室内空気温度未満の温度まで速やかに上げることができる。
【００１９】
このとき同時に送風手段の風量も上げることで、出口温度をさらに素早く上げることができる。このことにより、本発明に係る空気調和装置は、速やかに配管温度を上げて除湿を緩和させることができる。つまり、室内の空気の露点温度が所望の露点温度を下回る場合に、空気調和装置は顕熱比の高い高顕熱比冷房へ速やかに移行し、除湿を緩和することができる。
【００２０】
また、室内の空気の露点温度が所望の露点温度を上回る場合は所望の露点温度に達するまで除湿をすることが可能となり、空気調和装置により室内の空気の露点温度を目標の露点温度に近づけることが可能になる。また、ヒートポンプ制御手段が膨張弁開度を上げ圧縮機回転数を増加させ循環量が増えたところに、風量補正手段が吹出し風量を増加させるので、冷房能力は保たれ、室温の上昇を抑えながらも、配管温度を上げて除湿を緩和させることができる。つまり、室内の空気の露点温度が所望の露点温度を下回る場合に、空気調和装置は除湿を速やかに緩和し、顕熱比の高い高顕熱比冷房へ移行することができる。
【００２１】
また、定常的に室内の空気の露点温度が一定に保たれる場合、その空気における水蒸気分圧も一定となるので、ほぼ一定水準の体表面境界層との水蒸気分圧差が拡大することを防ぐことができる。特に、単位体積あたりの表面積の大きな手先、足先において過剰な冷却を防ぐことができ、湿度センサを搭載することなく、室内空気の水蒸気分圧を一定に保ち、快適な温湿度を実現できる。
【００２２】
第２の発明は、特に、第１の発明のヒートポンプ制御手段は、第１ステップにおいて膨張弁の開度を上げ、第２ステップにおいて、前記膨張弁の開度をステップ１よりも下げる制御を行うもので、快適な温湿度まで早く立ち上げることが出来る。
【００２３】
第３の発明は、特に、第１の発明のヒートポンプ制御手段は、第１ステップの発動に伴い、風量を上げ、第２ステップにおいて、室内空気温度が所定の範囲内に収まるように前記風量を制御するもので、快適な温湿度まで早く立ち上げることが出来る。
【００２４】
第４の発明は、特に、第１〜３のいずれかひとつの発明のヒートポンプ制御手段は、第１ステップにおいては圧縮機の回転数を保持し、第２ステップにおいて、蒸発温度が所定の範囲内に保持されるように前記圧縮機の回転数を増加させるもので、快適な温湿度まで早く立ち上げることが出来る。
【００２５】
以下、本発明に係る実施の形態について、図面を参照しながら説明する。なお、以下の実施の形態において、本発明について図面を用いて説明するが、本発明はこれらに限定することを意図しない。
【００２６】
（実施の形態１）
図１は、本発明の実施の形態１に係る空気調和装置の構成図、図２は、同空気調和装置の除湿緩和動作に至る流れ図である。
【００２７】
図１、２において、本実施の形態に係る空気調和装置は、冷房時の冷凍サイクル図となっており、大きくは室外機３と室内機１とそれらを接続する冷媒配管９から構成される。室外機３は、圧縮機２３と、インバータ２１と、膨張弁１７と、凝縮用熱交換器２７と、室外マイコン１９と、室外送風機２５とを備えている。室外マイコン１９は、本発明に係るヒートポンプ制御手段（図示せず）が含まれる。
【００２８】
室内機１は、蒸発用熱交換器７と、送風手段である室内送風機１１と、室内マイコン１５と、室内空気温度検出手段１３と、蒸発用熱交換器７の入口温度を検知する第１配管温度検出手段５ａと、蒸発用熱交換器７の出口温度を検知する第２配管温度検出手段５ｃとを備えている。室外機３の矢印は、本実施の形態に係る空気調和装置による冷房運転時の冷媒の流れを示す。
【００２９】
圧縮機２３の吐出口２３ａから吐出された冷媒は、凝縮用熱交換器２７に至る。凝縮用熱交換器２７において冷媒より低温の室外空気と熱交換して凝縮した冷媒は、膨張弁１７に至る。膨張弁１７において減圧し、温度低下した冷媒は蒸発用熱交換器７に至り、冷媒より高温の室内空気と熱交換して蒸発した冷媒は、冷媒配管９を経て圧縮機２３の吸入口２３ｂに戻る。
【００３０】
室内機１に設けられた室内空気温度検出手段１３は、蒸発用熱交換器７の風上に設置され、室内機１に取り込まれる吸込み空気の温度を室内空気温度として検出する。また、室内マイコン１５には、本発明に係る室内空気温度設定手段（図示せず）と配管温度設定手段（図示せず）が含まれる。
【００３１】
室内空気温度設定手段および配管温度設定手段は、本実施の形態に係る空気調和装置の図示しないリモコンに含まれ、ユーザによって入力された室内空気温度設定値として、例えば２６℃が室内空気温度設定手段に記憶され、配管温度設定手段には、所望の配管温度の目標値として例えば１７．６℃という値が記憶されている。また室内マイコン１５には、室内空気温度と室内空気温度設定値との許容差ΔＴとして、例えば１．０℃という値が記憶されている。
【００３２】
図２は、本実施の形態にかかる空気調和装置が除湿緩和動作に移行を開始するときの条件判断を示す流れ図である。
【００３３】
本実施の形態にかかる空気調和装置において、室外マイコン１９に含まれるヒートポンプ制御手段は、冷房開始Ｓ０とともに、室内空気温度設定手段および配管温度設定手段から出力される室内空気温度設定値（２６℃）と配管温度目標値（１７．６℃）を入力し（Ｓ１）、室内空気温度検出手段１３によって検出された室内空気温度と、第１配管温度検出手段５ａ、第２配管温度検出手段５ｃで検出された温度の内で最小値を蒸発温度として入力し（Ｓ３）、室内空気温度と室内空気温度設定値、室内配管温度と配管温度の目標値との比較を行い（Ｓ４）、室内空気温度と室内空気温度設定値との差が１．０℃未満で、かつ、室内配管温度が配管温度目標値１７．６℃を下回る場合に除湿緩和動作（Ｓ５）として、室内機１の室内送風機１１の回転数を増大させるように風量を補正する。
【００３４】
ヒートポンプ制御手段は、同様に除湿緩和動作（Ｓ５）として、まず、第２配管温度検出手段５ｃの温度が、配管温度センサ群の中で最高温度になるまで膨張弁１７の開度を下げ、蒸発用熱交換器７へ流入する冷媒量を減少させることで、蒸発用熱交換器７において冷媒の過熱領域を増やして蒸発用熱交換器７の温度を上昇させ、その後、第２配管温度検出手段５ｃが配管温度センサ群の中で最低温度になるまで膨張弁１７の開度を上げ、補正後の風量に合わせて室内配管温度が配管温度目標値１７．６℃に近似するように圧縮機２３の回転数を制御する。
【００３５】
室内空気温度３０℃、相対湿度９０％ｒｈ（露点温度２８．２℃）から、本実施の形態にかかる空気調和装置による冷房運転を開始し、運転開始と共にＳ０が実行されＳ１からＳ３までの入力処理が実行される。このとき、冷房運転開始直後は、室内空気温度設定値２６℃と室内空気温度３０℃との差は許容差１．０℃以上になるので、冷房運転は変更さ
れることなく処理は、Ｓ３にもどされ引き続き室内空気温度と室内配管温度の監視が実行される。この状態では室内配管温度は配管温度目標値１７．６℃を下回っても許容され比較的に潜熱比の高い冷房運転が実行され、室内空気からの除湿も進行する。
【００３６】
冷房運転の継続と共に室温も下がり２７．０℃以下となり、かつ蒸発温度が１７．６℃を下回っている場合、ヒートポンプ制御手段は、第２配管温度検出手段５ｃの温度が配管温度センサ群の中で最高温度、かつ１７．６℃以上２６．０℃未満になるまで膨張弁１７の開度を下げて蒸発用熱交換器７へ流入する冷媒量を減少させることで、蒸発用熱交換器７において冷媒の過熱領域を増やすことで蒸発用熱交換器７の温度を速やかに上昇させる。
その後、第２配管温度検出手段５ｃが、配管温度センサ群の中で最低温度になるまで膨張弁１７の開度を上げて膨張弁１７を開き蒸発用熱交換器７への冷媒供給量を増やす。同時に風量補正手段は室内送風機１１の回転数を上げて、風量を増加させる。
【００３７】
以上の動作により、室内配管温度の上昇を加速することができる。その後ヒートポンプ制御手段は、圧縮機２３の回転数を制御することにより、配管温度が１７．６℃を下回らない水準に移行させる。以上のヒートポンプ制御手段および風量補正手段の除湿緩和動作により、蒸発圧力は上がり、蒸発用熱交換器７の蒸発温度を１７．６℃に近づけることができる。このとき吹出し温度は上昇し、室内空気と吹出し空気のエンタルピー差は小さくなるが、風量補正手段の除湿緩和動作の結果として、吹出し空気の風量は増大するので、室温の上昇を押さえることができる。
【００３８】
また、この時、室内空気温度の監視を行い、一定の時間間隔における室内空気温度の変化率が０になるように風量を制御することによって、室内空気温度を除湿動作開始後も一定に保持することができる。同時に、室内空気の露点温度が１７．６℃以上の場合は、引き続き本実施の形態にかかる空気調和装置では除湿が行われるが、１７．６℃を下回る場合は顕熱冷房となり除湿が停止される。つまり室内の空気の露点温度においては、約１７．６℃となり、空気温度２６℃で水蒸気分圧を２０．１ｈＰａに保つことができ、人体境界層との水蒸気分圧差を約３０ｈＰａの快適な水準に保つことができる。
【００３９】
除湿緩和動作において、冷房能力が冷房負荷に不足する場合があり得るが、その場合、許容差「１．０℃」を設けたことによって除湿緩和動作を停止させることができる。除湿緩和動作を停止したのちは再び配管温度が配管温度目標値未満でも許容され、ヒートポンプ制御手段は、膨張弁１７の開度を下げて蒸発用熱交換器７の配管温度を低下させ、室温の過昇を防ぐ。
【００４０】
以上の説明において、室内空気温度設定値２６℃、配管温度目標値１７．６℃の場合を例示したが、これらはそれぞれの設定値を限定するものではない。
【産業上の利用可能性】
【００４１】
本発明にかかる空気調和装置は、室内空気の水蒸気分圧を一定に保ち、快適な温湿度を実現できるもので、冷凍サイクルを活用して湿度の調整をする空気調和装置に利用可能である。
【符号の説明】
【００４２】
１  室内機
３  室外機
５ａ  第１配管温度検出手段
５ｃ  第２配管温度検出手段
７  蒸発用熱交換器
９  冷媒配管
１１  室内送風機（送風手段）
１３  室内空気温度検出手段
１５  室内マイコン
１７  膨張弁
１９  室外マイコン
２１  インバータ
２３  圧縮機
２５  室外送風機
２７  凝縮用熱交換器
【図１】
2014020583.tif 000003
【図２】
2014020583.tif 000004